(57)【要約】【課題】洗浄液が逆流することのない携帯性に優れた携帯用局部洗浄器を提供する。【解決手段】操作部材２ｅを操作して容器２ａの空間２ａ４と容器２ｂの空間とを連通する開口を開放することにより容器２ｂ内の圧縮空気が空間２ａ４に送られ、送られた気体により仕切り板２ｆがノズル３側に向かって移動することで空間２ａ４に貯えられた浄水液がノズル３から噴出される。洗浄液（空間２ａ３）と圧縮気体（空間２ａ４）との間に仕切り板２ｆが介在することで、洗浄液が容器２ｂに逆流することなく、また圧縮空気がノズル３から噴出されることなく、携帯用局部洗浄器１を使用することができる。【選択図】図３
0003187208.tif 000002
【実用新案登録請求の範囲】
【請求項１】
洗浄液を噴出して局部を洗浄するための携帯可能な携帯用局部洗浄器であって、
洗浄液を吐出するノズルと、
前記洗浄液が貯えられ、前記ノズルに連なるタンク室と、該タンク室に送る気体が圧縮されて貯えられるポンプ室と、前記タンク室と前記ポンプ室とを連通する流路を開放する開放弁と、を有する本体とを備え、前記タンク室内に前記ノズルに連なる一側と前記ポンプ室に連なる他側とを仕切る可動式の仕切り部材が設けられることを特徴とする携帯用局部洗浄器。
【請求項２】
前記本体は、該本体外から前記開放弁を操作する操作部材をさらに有することを特徴とする、請求項１に記載の携帯用局部洗浄器。
【請求項３】
前記本体は、前記ポンプ室に気体を圧縮して送るポンプをさらに有することを特徴とする、請求項１又は２に記載の携帯用局部洗浄器。
【請求項４】
前記本体は、該本体外に前記ポンプ室の気体を抜くための開放弁をさらに有することを特徴とする、請求項１〜３のいずれか一項に記載の携帯用局部洗浄器。
【請求項５】
前記本体は、前記タンクに前記洗浄液を給液するための開閉可能な給液口を有することを特徴とする、請求項１〜４のいずれか一項に記載の携帯用局部洗浄器。
【請求項６】
前記本体に可動に固定され、前記ノズルを覆うカバーをさらに備える、請求項１〜５のいずれか一項に記載の携帯用局部洗浄器。
【考案の詳細な説明】
【技術分野】
【０００１】
本考案は、洗浄液を噴出して局部を洗浄するための携帯可能な携帯用局部洗浄器に関する。
【背景技術】
【０００２】
外出時等においても用便後に肛門等の局部を洗浄することのできる携帯式の局部洗浄器が開発されている。例えば、特許文献１に記載の携帯用局部洗浄器では、洗浄水が貯えられたペットボトルの口部に、洗浄水を吐出するノズルとボトル内とを連通する第１チューブと、ボトルの内外を連通しボトル外から空気をボトル内に送る第２チューブとが装着されたキャップを取付けることで構成される。しかし、係る構成の局部洗浄器では、洗浄水が第２チューブを介してボトル外に漏れるおそれがあり、携帯するに適さない。
【先行技術文献】
【特許文献】
【０００３】
【特許文献１】特開２００６−３０５０６８号公報
【考案の概要】
【考案が解決しようとする課題】
【０００４】
本考案は、洗浄液が漏れることなく使用することのできる携帯用局部洗浄器を提供することを課題とする。
【課題を解決するための手段】
【０００５】
本考案は、洗浄液を噴出して局部を洗浄するための携帯可能な携帯用局部洗浄器であって、洗浄液を吐出するノズルと、前記洗浄液が貯えられ、前記ノズルに連なるタンク室と、該タンク室に送る気体が圧縮されて貯えられるポンプ室と、前記タンク室と前記ポンプ室とを連通する流路を開放する開放弁と、を有する本体と、を備え、前記タンク室内に前記ノズルに連なる一側と前記ポンプ室に連なる他側とを仕切る可動式の仕切り部材が設けられることを特徴とする。
【０００６】
これによれば、開放弁を操作してタンク室とポンプ室とを連通する流路を開放することによりポンプ室内の圧縮された気体がタンク室の他側に送られ、送られた気体により仕切り部材がタンク室の一側に向かって移動することで一側に貯えられた浄水液がノズルを介して吐出される。洗浄液と気体との間に仕切り部材が介在することで、洗浄液がポンプ室に逆流することなく、また圧縮された気体がノズルから噴出されることなく、使用することができる。
【０００７】
本考案の携帯用局部洗浄器は、前記本体は、該本体外から前記開放弁を操作する操作部材をさらに有することを特徴とする。
【０００８】
これによれば、操作部材を用いて本体外から開放弁を操作することができる。
【０００９】
本考案の携帯用局部洗浄器は、前記本体は、前記ポンプ室に気体を圧縮して送るポンプをさらに有することを特徴とする。
【００１０】
これによれば、ポンプを用いることでポンプ室に圧縮された気体を貯えることができる。
【００１１】
本考案の携帯用局部洗浄器は、前記本体は、該本体外に前記ポンプ室の気体を抜くための開放弁をさらに有することを特徴とする。
【００１２】
これによれば、携帯用局部洗浄器の使用後に気体を抜くことができる。
【００１３】
本考案の携帯用局部洗浄器は、前記本体は、前記タンクに前記洗浄液を給液するための開閉可能な給液口を有することを特徴とする。
【００１４】
これによれば、タンク室に洗浄液を給液することができる。
【００１５】
本考案の携帯用局部洗浄器は、前記本体に可動に固定され、前記ノズルを覆うカバーをさらに備える。
【００１６】
これによれば、携帯時にノズルをカバーして携帯用局部洗浄器を携帯することができる。
【考案の効果】
【００１７】
本考案の携帯用局部洗浄器によれば、洗浄液が漏れることなく使用することができる。
【図面の簡単な説明】
【００１８】
【図１】図１（Ａ）〜（Ｅ）は、それぞれ、本実施形態に係る携帯用局部洗浄器の構成を示す上面図、底面図、正面図、側面図、及び背面図である。
【図２】図２（Ａ）〜（Ｃ）は、それぞれ、本実施形態に係る携帯用局部洗浄器の内部構成を示す図１（Ｄ）の基準線ＡＡに関する断面図、図１（Ａ）の基準線ＢＢ及びＣＣに関する断面図である。
【図３】図３は、キャップを空けた使用時の状態における携帯用局部洗浄器の内部構成を示す図１（Ａ）の基準線ＢＢに関する断面図である。
【考案を実施するための形態】
【００１９】
以下、本考案の一実施形態について、図１〜３を用いて説明する。
【００２０】
図１に、本実施形態に係る携帯用局部洗浄器１の構成を示す。図１（Ａ）〜（Ｅ）は、それぞれ、上面図、底面図、正面図、側面図、及び背面図である。図２に、携帯用局部洗浄器１の内部構成を示す。図２（Ａ）〜（Ｃ）は、それぞれ、図１（Ｄ）の基準線ＡＡに関する断面図並びに図１（Ａ）の基準線ＢＢ及びＣＣに関する断面図である。
【００２１】
携帯用局部洗浄器１は、本体２（仕切り板２ｆを含む）、ノズル３、及びカバー４から構成される。
【００２２】
本体２は、２つの容器２ａ，２ｂから構成される。
【００２３】
容器２ａは、底面が開いた円筒状の形状を有する。ここで、容器２ａの底に上面に円環状の凸部が形成された蓋部材２ａ１を嵌入することにより、容器２ａの内部が間隙なく密封される。それにより、容器２ａの内部が洗浄水を貯えるタンク室の役割を果たす。
【００２４】
容器２ａには、２つの開口が設けられている。１つ目の開口（給水口）は、容器２ａの上面の一側（前面側）に設けられている。給水口には、手指で開閉可能な開閉部材２ａ２が取り付けられている。携帯用局部洗浄器１を使用する際に、後述するようにカバー４を開け、開閉部材２ａ２を開けて、給水口から容器２ａ内に洗浄水を入れることができる。
【００２５】
２つ目の開口は、容器２ａの側面に設けられ、容器２ａ内のタンク室と後述する容器２ｂ内のポンプ室とを連通する。この開口には、開放弁（不図示）が取り付けられている。この開口の役割については後述する。
【００２６】
容器２ａの内部には、可動式の仕切り板２ｆが含まれる。仕切り板２ｆは、円管状の部材とその内部の一端側（後述するノズル３側）に固設された円板状の部材とから構成される。円管状の部材は、容器２ａの内径にほぼ等しい又は若干小さい外径を有する。それにより、仕切り板２ｆは、容器２ａ内の空間を一側（後述するノズル３側）の空間２ａ３と他側（上述の２つ目の開口側）の空間２ａ４とに仕切るとともに、容器２ａ内を一側と他側との間で移動することができる。
【００２７】
容器２ｂは、正面側の側面及び底面が開いた角柱形状を有する。容器２ｂの２つの側面の先端（開放端）には、内向きのテーパ面が形成されている。その２つのテーパ面を互いに背向する容器２ａの側面の一側と他側にそれぞれ当接し、容器２ｂの上面の先端を容器２ａの上面上に重ね、容器２ｂの側面と容器２ａの側面との間に底板２ｃを入れて、溶接、接着等を施すことで、本体２が一体的に形成される。それにより、容器２ｂが圧縮された気体（空気）を貯えるポンプ室の役割を果たす。
【００２８】
容器２ｂには、３つの開口が設けられている。１つ目の開口は、容器２ｂの上面に設けられている。開口には、逆止弁（不図示）を介して圧縮ポンプ２ｄが取り付けられている。携帯用局部洗浄器１を使用する際に、圧縮ポンプ２ｄを用いて、容器２ｂ外から気体（空気）を圧縮して容器２ｂ内に入れることができる。逆止弁（不図示）により、容器２ｂ内の気体は漏れることなくその内部に貯えられる。
【００２９】
なお、圧縮ポンプ２ｄを着脱可能に取り付けることとしてもよい。すなわち、逆止弁（不図示）のみを容器２ｂの１つ目の開口に設け、使用時に、携帯用局部洗浄器１と独立に構成される圧縮ポンプを開口に取り付けて容器２ｂ内に気体（空気）を圧縮して入れ、気体を入れた後、圧縮ポンプを取り外す構成を採用することもできる。また、圧縮ポンプに限らず、圧縮された気体（例えば酸素等）が封入されたガスボンベを開口に取り付けて、容器２ｂ内にその気体を入れる構成を採用することもできる。
【００３０】
２つ目の開口は、容器２ｂの底板２ｃの一側に設けられている。開口には、開放弁２ｃ１が取り付けられている。使用後、開放弁２ｃ１を開けて容器２ｂ内の圧縮された気体を抜き、気体が抜けた状態で携帯用局部洗浄器１を携帯することができる。
【００３１】
３つ目の開口は、容器２ｂの側面に形成された凹部２ｅ０内に設けられている。開口には、先述の容器２ａと容器２ｂとを連通する開口に設けられた開放弁（不図示）の開閉を操作する操作部材２ｅが取り付けられている。
【００３２】
操作部材２ｅは、容器２ｂ（凹部２ｅ０）外に突出するボタン部２ｅ１と、ボタン部２ｅ１を付勢するスプリング（不図示）と、ボタン部２ｅ１と開放弁（不図示）とを連接する連接部２ｅ２とを有する。手指を用いてボタン部２ｅ１を凹部２ｅ０内に押すことにより連接部２ｅ２を介して開放弁（不図示）が開けられ、容器２ａの開口が開放される。ボタン部２ｅ１から手指を離すと、スプリング（不図示）の付勢によりボタン部２ｅ１が凹部２ｅ０外に戻り、連接部２ｅ２を介して開放弁（不図示）が閉じられ、容器２ａの開口が閉じられる。
【００３３】
ノズル３は、本体２の上面に着脱可能に取付けられている。詳細には、容器２ａの上面と容器２ｂの上面とを連通して形成された開口に逆止弁（不図示）を介してその基端部が取り付けられている。ノズル３は、例えばゴム等から構成される可撓性のチューブである。なお、後述するカバー４の開閉に伴って屈曲可能に構成されていれば、その材質、構成の詳細は特に限定されない。
【００３４】
カバー４は、略半球状の形状を有し、本体２の上面に固設された支持部材４ａに回転軸４ｂを中心に回転可能に取り付けられている。携帯時には、カバー４を閉じることで、その内側にノズル３を収容する（図１及び図２参照）。使用時には、回転軸４ｂを中心に回転してカバー４を開けることで、ノズル３の先端をカバー４外に向ける（図３参照）。
【００３５】
携帯用局部洗浄器１の使い方を説明する。図３に、使用時における携帯用局部洗浄器１の内部の状態を示す。
【００３６】
携帯用局部洗浄器１を使用するに先立って、カバー４を開けて開閉部材２ａ２を出し、開閉部材２ａ２を開けて給水口から洗浄水を容器２ａ内に入れる。これにより、図３に示すように、仕切り板２ｆにより仕切られた容器２ａ内の空間２ａ３に洗浄水が充填される。充填後、開閉部材２ａ２を閉じ、カバー４を閉じて、携帯用局部洗浄器１を携帯する。なお、使用する直前に洗浄水を容器２ａ内に入れることとしてもよい。
【００３７】
使用する際には、まず、カバー４を閉じた状態において、圧縮ポンプ２ｄを用いて気体（空気）を圧縮して容器２ｂ内に入れる。これにより、容器２ｂ内に圧縮空気が充填される。容器２ｂ内に充填される圧縮空気の気圧は、仕切り板２ｆに加わる圧力（後述）に等しい。通常は、ノズル３の径が１ｍｍ程度であり、該気圧は１．５気圧程度で十分に局部洗浄可能である。しかし、局部に当たる水圧の強弱は使用者の好みがある。使用者は、自己の好みに応じて容器２ｂ内に充填される圧縮空気の気圧を変えることができ、局部に当たる水圧の強弱を調整することができる。
【００３８】
次に、カバー４を開け、本体２を握持してノズル３の先端を局部に向ける。
【００３９】
次に、手指により操作部材２ｅのボタン部２ｅ１を押す。それにより、連接部２ｅ２を介して開放弁（不図示）が開き、仕切り板２ｆにより仕切られた容器２ａ内の空間２ａ４と容器２ｂ内の空間とが開口を介して連通する。その結果、図３に矢印を用いて示すように、容器２ｂ内の圧縮空気が開口を介して空間２ａ４に移動する。空間２ａ４内に圧縮空気が充填されることで、仕切り板２ｆに白抜き矢印の方向の圧力が加わり、ノズル３側に向かって移動する。仕切り板２ｆが移動することで、空間２ａ３内に充填された洗浄水が、黒塗り矢印を用いて示すように、ノズル３の先端から噴出される。それにより、局部が洗浄される。
【００４０】
洗浄終了後、ボタン部２ｅ１から手指を離すことで、開放弁（不図示）が閉じ、容器２ｂ内から容器２ａ内の空間２ａ４への圧縮空気の移動が止まることで、洗浄水の噴出が止まる。使用後は、カバー４を閉じ、ノズル３をその内側に収容する。さらに、開放弁２ｃ１を開けて容器２ｂ内の圧縮空気を抜いて、携帯用局部洗浄器１を携帯する。
【００４１】
以上詳細に説明したように、操作部材２ｅを操作して容器２ａの空間２ａ４と容器２ｂの空間とを連通する開口を開放することにより容器２ｂ内の圧縮空気が空間２ａ４に送られ、送られた気体により仕切り板２ｆがノズル３側に向かって移動することで空間２ａ４に貯えられた浄水液がノズル３から噴出される。洗浄液（空間２ａ３）と圧縮気体（空間２ａ４）との間に仕切り板２ｆが介在することで、洗浄液が容器２ｂに逆流することなく、また圧縮空気がノズル３から噴出されることなく、携帯用局部洗浄器１を使用することができる。
【００４２】
なお、本実施形態では洗浄液として水を用いるものとしたが、これに限らず、洗浄用の薬液を含む液体を用いることとしてもよい。
【産業上の利用可能性】
【００４３】
本考案の携帯用局部洗浄器によれば、携帯性に優れるとともに、洗浄液が漏れることなく使用することができる。多くの個人による利用が考えられる。
【符号の説明】
【００４４】
１    携帯用局部洗浄器
２    本体
２ａ，２ｂ    容器
２ａ２  開閉部材
２ｄ  圧縮ポンプ
２ｅ  操作部材
２ｆ  仕切り板
３    ノズル
４    カバー
【図１】
0003187208.tif 000003
【図２】
0003187208.tif 000004
【図３】
0003187208.tif 000005